(57)【要約】【課題】より少ない数の発光体を用いることにより省エネ化を向上できる回転灯の提供。【解決手段】回転灯１は、支持体３と、支持体３に設けられた複数の発光手段７と、複数の発光手段７を点灯及び消灯させる制御手段と、複数の発光手段７の各々に対応して設けられた複数の導光部材８と、を備える。複数の発光手段７により発せられた光は、対応する複数の導光部材８を通して導光されて照射される。制御手段は、複数の発光手段７の点灯及び消灯を、対応する複数の導光部材７の配列順に行う。【選択図】図１
2016207476.tif 000002
【特許請求の範囲】
【請求項１】
支持体と、
前記支持体に設けられた複数の発光手段と、
前記複数の発光手段を点灯及び消灯させる制御手段と、
前記複数の発光手段の各々に対応して設けられた複数の導光部材と、を備え、
前記複数の発光手段により発せられた光は、対応する前記複数の導光部材を通して導光されて照射され、  
前記制御手段は、前記複数の発光手段の点灯及び消灯を、対応する前記複数の導光部材の配列順に行うことを特徴とする回転灯。
【請求項２】
前記複数の導光部材の各々は、対応する前記発光手段からの光を導入するための光導入部と、前記光導入部から導入された光を照射するための光照射部と、を有し、前記光照射部の長さ寸法は前記光導入部の長さ寸法よりも大きいことを特徴とする請求項１に記載の回転灯。
【請求項３】
前記光導入部は、対応する前記発光手段に対向し、
複数の前記光導入部は前記支持体の長さ方向に沿って配列され、複数の前記光照射部は前記支持体の周方向に沿って配列されることを特徴とする請求項２に記載の回転灯。
【請求項４】
前記複数の発光手段は、前記支持体の長さ方向に複数列に配列され、
前記複数の導光部材は、前記支持体の周囲に配列され、
前記複数の導光部材の各々は、板状の導光部と、前記導光部の一側端面から延出して対応する前記発光手段に対向する光導入部と、を備え、前記導光部の他側端面が光照射部として機能することを特徴とする請求項１に記載の回転灯。
【請求項５】
前記光照射部には複数のプリズムから成るプリズムパターンが形成され、前記プリズムパターンは、前記光照射部の長手方向における中央領域における光の輝度が、前記長手方向における両側領域における光の輝度よりも大きくなるように設定されていることを特徴とする請求項２〜４の何れかに記載の回転灯。
【発明の詳細な説明】
【技術分野】
【０００１】
本発明は、複数の光源を順次点灯させることにより光が回転しているように見せる回転灯に関する。
【背景技術】
【０００２】
救急車やパトカー、工事現場、パチンコ店などの遊技店には、注意喚起のための回転灯が設置されている。従来の回転灯は、発光体からの光をモータで回転する反射鏡で反射させることにより、光が回転しているように見せている（例えば、特許文献１参照）。しかしながら、モータを用いる従来の回転灯では、小型化が難しい、消費電力が大きい、モータの劣化が早く寿命が短い等の問題があった。このような問題を解決するものとして、支持体の外周面に複数の発光体から成る発光群を複数設け、発光群を順次発光させて光が回転しているように見せる回転灯が提案されている（例えば、特許文献２参照）。
【先行技術文献】
【特許文献】
【０００３】
【特許文献１】特開２００８−７１６０６号公報
【特許文献２】特開２０１０−３７０８号公報
【発明の概要】
【発明が解決しようとする課題】
【０００４】
特許文献２に開示の回転灯はモータを必要としないため、上述したようなモータが劣化する等の問題は発生しない。しかしながら、比較的多くの発光体を必要とするため、省エネの観点からは不十分であった。
【０００５】
本発明は、より少ない数の発光体を用いることにより省エネ化を向上できる回転灯の提供を目的とする。
【課題を解決するための手段】
【０００６】
本発明の請求項１に記載の回転灯は、支持体と、前記支持体に設けられた複数の発光手段と、前記複数の発光手段を点灯及び消灯させる制御手段と、前記複数の発光手段の各々に対応して設けられた複数の導光部材と、を備え、前記複数の発光手段により発せられた光は、対応する前記複数の導光部材を通して導光されて照射され、前記制御手段は、前記複数の発光手段の点灯及び消灯を、対応する前記複数の導光部材の配列順に行うことを特徴とする。
【０００７】
本発明の請求項２に記載の回転灯は、前記複数の導光部材の各々は、対応する前記発光手段からの光を導入するための光導入部と、前記光導入部から導入された光を照射するための光照射部と、を有し、前記光照射部の長さ寸法は前記光導入部の長さ寸法よりも大きいことを特徴とする。
【０００８】
本発明の請求項３に記載の回転灯は、前記光導入部は、対応する前記発光手段に対向し、
複数の前記光導入部は前記支持体の長さ方向に沿って配列され、複数の前記光照射部は前記支持体の周方向に沿って配列されることを特徴とする。
【０００９】
本発明の請求項４に記載の回転灯は、前記複数の発光手段は、前記支持体の長さ方向に複数列に配列され、前記複数の導光部材は、前記支持体の周囲に配列され、前記複数の導光部材の各々は、板状の導光部と、前記導光部の一側端面から延出して対応する前記発光手段に対向する光導入部と、を備え、前記導光部の他側端面が光照射部として機能することを特徴とする。
【００１０】
本発明の請求項５に記載の回転灯は、前記光照射部には複数のプリズムから成るプリズムパターンが形成され、前記プリズムパターンは、前記光照射部の長手方向における中央領域における光の輝度が、前記長手方向における両側領域における光の輝度よりも大きくなるように設定されていることを特徴とする。
【発明の効果】
【００１１】
本発明の請求項１に記載の回転灯によれば、複数の発光手段により発せられた光は、対応する複数の導光部材を通して導光されて照射され、複数の発光手段の点灯及び消灯は、対応する複数の導光部材の配列順に行われるので、例えば導光部材を周方向に配列させる一方で、発光手段を上下方向に配列させることができ、発光手段をコンパクトに集積できる。
【００１２】
本発明の請求項２に記載の回転灯によれば、光照射部の長さ寸法は光導入部の長さ寸法よりも大きく設定されていることから、より狭い領域から導入した光をより広い領域へ照射させることができる。従って、所定範囲を照射するのに要する発光手段の数を減少でき、消費電力を抑えることができる。
【００１３】
本発明の請求項３に記載の回転灯によれば、複数の光導入部は支持体の長さ方向に沿って配列されるので、光照射部を支持体の長さ方向に沿って配列された発光手段に対向させることができ、発光手段の配列をコンパクトに行うことができる。また、光照射部は支持体の周方向に沿って配列されるので、対応の発光手段を順次点灯／消灯させることにより、光が周方向に沿って移動するように見せることができる。
【００１４】
本発明の請求項４に記載の回転灯によれば、複数の発光手段は支持体の長さ方向に複数列に配列される一方で、複数の導光部材は支持体の周囲に配列されているので、発光手段をコンパクトに集積させることができ、また支持体の周方向に光が移動して見えるように光を照射させることができる。また、光導入部は、導光部の一側端面から延出して発光手段に対向し、導光部の他側端面が光照射部として機能するので、導光部材により発光手段からの光を導光して照射することで、より広い範囲において光を照射させることができる。よって、発光手段を小型化して消費電力を抑えることができる。
【００１５】
本発明の請求項５に記載の回転灯によれば、光照射部の長手方向における中央領域における光の輝度が、両側領域における光の輝度よりも大きくなるように設定されているので、従来の回転灯と同様に中央領域を明るく照らすことができる。
【図面の簡単な説明】
【００１６】
【図１】本発明の実施形態に係る回転灯の分解斜視図。
【図２】図１に示す回転灯の主要部を一部省略して示す斜視図。
【図３】図１に示す回転灯が備える導光部材の配列を示す平面図。
【図４】（ａ）は第１導光部材を示す平面図、（ｂ）は第２導光部材を示す平面図、（ｃ）は第３導光部材を示す平面図、（ｄ）は第４導光部材を示す平面図。
【発明を実施するための形態】
【００１７】
以下、添付図面を参照して、本発明の実施形態に係る回転灯について説明する。図１及び図２を参照して、本実施形態に係る回転灯１は、ベース部２と、ベース部２の中央部に立設された支持体３と、支持体３に設けられた複数のＬＥＤ４（発光体）と、ベース部２に搭載された複数の導光群５と、グローブ６と、ＬＥＤ４の点灯及び消灯を制御する制御手段（図示せず）と、を備える。
【００１８】
ベース部２は、円盤状の底板２１と、底板２１の周縁から上方に突設された側壁２２と、を備える。本実施形態においては、支持体３は四角柱状に形成され、支持体３の各側面３１に８個のＬＥＤ４が支持体３の長さ方向（以下、「所定方向」と称する）Ｄ１に１列に配列されて搭載され、これにより所定方向Ｄ１において合計で４列のＬＥＤ列を形成している。また、上下に隣接する一対のＬＥＤ４により１つの発光手段７が構成され、各ＬＥＤ列においては上から順に第１発光手段７１〜第４発光手段７４までの４つの発光手段７を構成し、全体では１６個の発光手段７を構成している。
【００１９】
図３及び図４をも参照して、導光群５は、複数のＬＥＤ列に１対１で対応するように複数設けられており、本実施形態においては４本のＬＥＤ列に対応させて第１導光群５１〜第４導光群５４までの４組の導光群５が設けられている。各導光群５は、対応するＬＥＤ列における複数の発光手段７に１対１で対応する複数の導光部材８を備え、本実施形態では第１導光部材８１〜第４導光部材８４までの４個の導光部材８を備える。よって、回転灯１全体では、１６個の発光手段７に１対１で対応するように、合計で１６個の導光部材８が設けられている。これらの導光部材８は透明な合成樹脂（例えば、アクリルやポリカーボネイトなど）から略平板状に形成され、支持体３の周囲を取り巻くように、支持体３を中心として略放射状に配置されている。
【００２０】
各導光群５が有する４個の導光部材８（即ち、第１導光部材８１、第２導光部材８２、第３導光部材８３、及び第４導光部材８４）は、下端がベース部２に支持された板状の導光部８Ａと、導光部８Ａの一側端面から延出する光導入部と、が一体形成されて構成される点において共通するが、光導入部の形状及び形成位置が導光部材８１〜８４において異なる。
【００２１】
より具体的に、第１導光部材８１は、導光部８Ａと、導光部８Ａの一側端面から延出する光導入部８１ａと、を備え、光導入部８１ａは、その先端面８１ｂが対応の第１発光手段７１に対向し、第１発光手段７１から発せられた光を導光部材８（第１導光部材８１）に導入する。また、導光部８Ａの他側端面には所定方向Ｄ１に沿って配列された複数のプリズムからなるプリズムパターン（図示せず）が所定方向Ｄ１全域にわたって形成され、光導入部８１ａの先端面８１ｂから導入されて導光部材８により導光された光を拡散させて外部に照射する光照射部８ｂとして機能する。
【００２２】
第２導光部材８２は、導光部８Ａと、導光部８Ａの一側端面から延出する光導入部８２ａと、を備え、光導入部８２ａは第１導光部材８１の光導入部８１ａよりも下方に位置し、その先端面８２ｂが対応の第２発光手段７２に対向し、第２発光手段７２から発せられた光を導光部材８（第２導光部材８２）に導入する。同様に、第３導光部材８３は、導光部８Ａと、導光部８Ａの一側端面から延出する光導入部８３ａと、を備え、光導入部８３ａは第２導光部材８２の光導入部８２ａよりも下方に位置し、その先端面８３ｂが対応の第３発光手段７３に対向し、第３発光手段７３から発せられた光を導光部材８（第３導光部材８３）に導入する。第４導光部材８４は、導光部８Ａと、導光部８Ａの一側端面から延出する光導入部８４ａと、を備え、光導入部８４ａは第３導光部材８３の光導入部８３ａよりも下方に位置し、その先端面８４ｂが対応の第４発光手段７４に対向し、第４発光手段７４から発せられた光を導光部材８（第４導光部材８４）に導入する。
【００２３】
そして、各導光群５における４個の導光部材８は、導光部８Ａは光照射部８ｂが外方を向くように支持体３の周方向Ｄ２に沿って配列され、複数の光導入部８１ａ〜８４ａはＬＥＤ列に沿って上下方向（所定方向Ｄ１）に並ぶように配置されている。各光導入部８１ａ〜８４ａから導入された発光手段７からの光は、各導光部材８により導光された後に光照射部８ｂから外部へ照射される。
【００２４】
グローブ６は、キャップ形状に形成された透光性のカバー部材であって、支持体３及び複数の導光部材８を覆うようにしてベース部２に装着される。グローブ６の外周面には拡散手段としての複数のプリズム６１が設けられ、導光部材８から照射された光を拡散して外部へ照射させる。
【００２５】
かかる構成において、光が回転するように見せるには、周方向Ｄ２における導光部材８（導光部８Ａ）の配列順に、対応の発光手段７を点灯／消灯させればよい。即ち、図２及び図３を参照して、まず第１導光群５１が対応するＬＥＤ列における第１発光手段７１〜第４発光手段７４を順次点灯／消灯させる。即ち、まず始めに第１発光手段７１を点灯させると、第１発光手段７１から発せられた光は第１導光部材８１の光導入部８１ａから第１導光部材８１に導入されて導光され、光照射部８ｂから照射された後にグローブ６のプリズム６１によって更に拡散されて外部に照射される。次に、第１発光手段７１を消灯させると共に、第２発光手段７２を点灯させる。第２発光手段７２から発せられた光は、第２導光部材８２の光導入部８２ａから第２導光部材８２に導入されて導光され、光照射部８ｂから照射された後にグローブ６のプリズム６１によって更に拡散されて外部に照射される。第２発光手段７２を消灯させ、第３発光手段７３及び第４発光手段７４についても同様に点灯／消灯させて、第３及び第４導光部材８３，８４の光照射部８ｂ，８ｂからも光を順次照射させる。その後、第２〜第４発光群５２〜５４に対応するＬＥＤ列についても同様の制御を順に行い、これを繰り返すことによって光が周方向Ｄ２に移動（回転）したように見せることができる。
【００２６】
このように、本実施形態における回転灯１では、モータを用いなくても、発光手段７の点灯／消灯を順に行うことにより、光が回転するように見せることができる。また、本実施形態においては、発光手段７から発せられた光を導光部材８の光照射部８ｂから照射させることができ、また所定方向Ｄ１における光照射部８ｂの長さ寸法は光導入部８１ａ,８２ａ,８３ａ，８４ａの長さ寸法よりも大きく設定されているので、発光手段７から発せられた光の照射範囲を所定方向Ｄ１において拡大させることができる。よって、少ない個数のＬＥＤ４で比較的広い範囲を照射することができ、使用するＬＥＤ４の個数を減らして消費電力を抑えることができる。
【００２７】
更に、導光部材８の光照射部８ｂから照射された光は、グローブ６のプリズム６１によって更に拡散されて外部へ照射されるので、より広範囲に渡って光が広がるようになり、視認性を向上できる。
【００２８】
ここで、回転する反射鏡を用いた従来の回転灯においては、回転灯の中央部の方が両端部よりも明るく光ることから、光照射部８ｂとして機能する導光部材８の他側端面に形成されるプリズムパターンを、光照射部８ｂから照射される光の輝度が光照射部８ｂの長手方向（所定方向Ｄ１）における両側領域よりも中央領域において高くなるように設定するのが好ましい。これにより、従来の回転灯と同様に中央部をより明るく光らせることができる。なお、中央領域において光の輝度を高くするためには、中央領域における光の拡散量を増やせば良く、そのためには、例えばプリズムパターンを構成する複数のプリズムのうち、中央領域に位置するプリズムの長さ寸法（所定方向Ｄ１と垂直な方向における寸法）を両側領域に位置するプリズムの長さ寸法よりも大きくしたり、中央領域に位置するプリズムの密度を両側領域に位置するプリズムの密度よりも大きくしたりすればよい。
【００２９】
以上、本発明の実施形態に係る回転灯について添付の図面を参照して説明したが、本発明はかかる実施形態に限定されず、本発明の範囲を逸脱することなく種々の変形乃至修正が可能である。
【００３０】
例えば、上記実施形態においては、各発光手段７を一対のＬＥＤ４から構成したが、本発明はこれに限定されず、各発光手段を１個又は３個以上のＬＥＤ４から構成してもよい。また、上記実施形態においては、合計で４本のＬＥＤ列を形成するようにＬＥＤ４を配列させたが、３本以下又は５本以上のＬＥＤ列を形成するように配列させてもよい。各ＬＥＤ列を形成するＬＥＤ４の個数も８個に限定されない。各発光手段７を構成するＬＥＤ４の個数も２個に限定されず、１個又は３個以上であってもよい。
【００３１】
更に、支持体３は四角柱状である必要はなく、例えば円柱状や他の角柱状であってもよい。上記実施形態においては複数のプリズム６１をグローブ６の外周面全域に均一に設けたが、必ずしも全域に設ける必要はなく、また均一に設けなくてもよい。また、上下方向（所定方向Ｄ１）に延びるプリズム６１に代えて、例えばグローブ６の周方向に延びるプリズムを複数設けるようにしてもよい。
【符号の説明】
【００３２】
１  回転灯
３  支持体
４  ＬＥＤ（発光体）
５  発光群
７  発光手段
８  導光部材
８Ａ  導光部
８ｂ  光照射部
８１ａ、８２ａ、８３ａ、８４ａ  光導入部
【図１】
2016207476.tif 000003
【図２】
2016207476.tif 000004
【図３】
2016207476.tif 000005
【図４】
2016207476.tif 000006